(57)【要約】【課題】画像表示装置において、動作時間の累計に依存して低下する表示パネルの輝度を、動作時間の累計または輝度低下に基づいて補正し、表示パネルの輝度寿命を向上させる。【解決手段】画像表示装置の表示パネル１に映像信号を供給する映像処理回路４において、補正回路４０により、映像信号の輝度が低下した際に増加すべき輝度を提供可能な駆動電圧に基づいて初期時の特性が補正された状態で初期時に出力されるべき駆動電圧に設定された補正量を前記信号線ドライバに指示することで、輝度寿命を延ばすことができる。【選択図】  図１
2006184461.tif 000002
【特許請求の範囲】
【請求項１】
電子線源を保持した第１基板と、前記電子線源から出力された電子線が照射されることで所定の色の光を出力する蛍光体層を保持し、前記第１基板に所定間隔で対向された第２基板と、前記第１基板および前記第２基板を密閉構造とする側壁と、を備える表示パネルの駆動方法において、
前記蛍光体層と前記電子線源との間に供給され、前記蛍光体層から放出される光の輝度を規定する駆動電圧は、初期時の第１の輝度に対して動作時間の累計により生じる第２の輝度を、前記第２の輝度よりも高い第３の輝度を提供可能な駆動電圧に設定されることを特徴とする画像表示装置の駆動方法。
【請求項２】
複数の走査線と、
前記複数の走査線に交差する複数の信号線と、
前記複数の走査線および前記複数の信号線との交差位置に配置され各々一対の走査線および信号線間の画素電圧に対応して駆動される複数の表示画素と、
前記複数の走査線を順次駆動する走査線ドライバと、
前記走査線ドライバによって前記複数の走査線の各々が駆動される間に前記複数の信号線を駆動する信号線ドライバと、
映像信号の輝度が低下した際に増加すべき輝度を提供可能な駆動電圧に基づいて初期時の特性が補正された状態で初期時に出力されるべき駆動電圧に設定された補正量を前記信号線ドライバに指示する補償回路と、
を有することを特徴とする画像表示装置。
【請求項３】
前記輝度補償回路は、所定タイミングで前記信号線ドライバに前記補正量を指示することを特徴とする請求項２記載の画像表示装置。
【請求項４】
前記輝度補償回路は、初期時の第１の輝度に対して動作時間の累計により生じる第２の輝度を前記第２の輝度よりも高い第３の輝度を提供可能な駆動電圧を提供可能な駆動電圧を、前記信号線ドライバに指示することを特徴とする請求項２記載の画像表示装置。
【請求項５】
複数の走査線と、
前記複数の走査線に交差する複数の信号線と、
前記複数の走査線および前記複数の信号線との交差位置にそれぞれ配置され、各々一対の走査線および信号線間の画素電圧に対応して駆動される複数の表示画素とを備える画像表示装置の駆動方法であって、
前記複数の信号線には、輝度低下（輝度半減）時に増加されるべき輝度を提供可能な駆動電圧に基づいて初期時の特性が補正された状態で規定された駆動電圧を本来の初期時の駆動電圧に設定した電圧値が供給されることを特徴とする画像表示装置の駆動方法。
【請求項６】
前記複数の信号線には、所定タイミングで前記電圧値が指示されることを特徴とする請求項５記載の画像表示装置の駆動方法。
【請求項７】
前記複数の信号線には、初期時の第１の輝度に対して動作時間の累計により生じる第２の輝度を前記第２の輝度よりも高い第３の輝度を提供可能な駆動電圧に補正する際に前記第３の輝度を提供可能な駆動電圧を初期時の電圧として推測した駆動電圧が、供給されることを特徴とする請求項５記載の画像表示装置の駆動方法。
【発明の詳細な説明】
【技術分野】
【０００１】
この発明は、画像表示装置およびその製造方法に係わり、さらに詳しくは、真空容器内に、電子源と、この電子源から放出される電子線の照射により画像を表示する蛍光面と、を備えた画像表示装置およびその駆動方法（画像表示方法）に関する。
【背景技術】
【０００２】
陰極線管（ＣＲＴ）に代わる画像表示装置として、電子放出素子（電子源）を平面状、かつマトリクス状に配列し、所定間隔で対向させた平面状の蛍光面（前面基板）に選択的に電子線を照射することにより、蛍光面から任意の色の光を出力させて画像を表示させる画像表示装置が開発されている。この種の画像表示装置は、フィールド・エミッション・ディスプレイと呼ばれている（以下、ＦＥＤと称する）。また、ＦＥＤのうち、電子源として表面伝導型エミッタを用いた表示装置は、表面伝導型電子放出ディスプレイ（以下、ＳＥＤと呼称する）として区分されることもあるが、本願においては、ＳＥＤも含む総称として、ＦＥＤという用語を用いる。
【０００３】
ＦＥＤは、上述した電子源側の基板と蛍光面側の基板との隙間を数ｍｍ以下に設定することができ、周知のＣＲＴと比較して厚さを薄くすることが可能で、ＬＣＤ装置のような画像表示装置と比較しても同等か、それ以下の厚さにできる。従って、軽量化の面でも、期待がされる。
【０００４】
また、ＣＲＴやプラズマディスプレイと同様の自己発光型であるため、表示画像の輝度も、得やすい特徴がある。
【０００５】
前面基板の内面に設けられる蛍光面には、赤（Ｒ）、青（Ｂ）、緑（Ｇ）の蛍光体が、所定の大きさ、かつ所定の順に配列されている。蛍光面の個々の蛍光体には、それぞれの蛍光体に所定の掃引電圧を与えるアノード電極が接続されている。
【０００６】
電子源側の基板には、任意の位置のエミッタと対向される蛍光面を発光させるための、予め特定されたエミッタから所定量の電子を放出させるための走査線および信号線がそれぞれ、マトリックス状に接続されている。
【０００７】
上述のＦＥＤは、一般に、表示パネルと、この表示パネルを駆動する駆動ユニットとを備える。表示パネルは、横（水平）方向に伸びる複数の走査線と、個々の走査線に交差して、縦（垂直）方向に伸びる複数の信号線と、それぞれの走査線および信号線の交差位置に配置される複数の表示画素を含む（例えば、特許文献１参照）。
【特許文献１】特開２００２−２２１９３３号公報
【発明の開示】
【発明が解決しようとする課題】
【０００８】
ところで、蛍光面すなわち表示パネルの表示画素の素子特性、具体的には蛍光面に用いられる蛍光体の輝度特性は、表示時間（動作時間）の累計に依存して劣化あるいは過電流や放電等に起因する蛍光体損傷等により、次第に低下する問題がある。
【０００９】
なお、輝度の低下を蛍光体の寿命（輝度寿命）と考えると、輝度寿命は、例えば初期時の輝度が概ね１／２まで低下する時点と考えることが一般的である。また、輝度寿命は、オーバーロードにより、蛍光体の発光能力が低下する時期であることが知られている。
【００１０】
この発明の目的は、蛍光面を有する表示基板と表示基板の蛍光面に向けて電子を放出する電子源基板とからなる画像表示装置において、表示基板の蛍光面の輝度寿命を高めることである。
【課題を解決するための手段】
【００１１】
この発明は、電子線源を保持した第１基板と、前記電子線源から出力された電子線が照射されることで所定の色の光を出力する蛍光体層を保持し、前記第１基板に所定間隔で対向された第２基板と、前記第１基板および前記第２基板を密閉構造とする側壁と、を備える表示パネルの駆動方法において、前記蛍光体層と前記電子線源との間に供給され、前記蛍光体層から放出される光の輝度を規定する駆動電圧は、初期時の第１の輝度に対して動作時間の累計により生じる第２の輝度を、前記第２の輝度よりも高い第３の輝度を提供可能な駆動電圧に設定されることを特徴とする画像表示装置の駆動方法である。
【００１２】
また、この発明は、複数の走査線と、前記複数の走査線に交差する複数の信号線と、前記複数の走査線および前記複数の信号線との交差位置に配置され各々一対の走査線および信号線間の画素電圧に対応して駆動される複数の表示画素と、前記複数の走査線を順次駆動する走査線ドライバと、前記走査線ドライバによって前記複数の走査線の各々が駆動される間に前記複数の信号線を駆動する信号線ドライバと、映像信号の輝度が低下した際に増加すべき輝度を提供可能な駆動電圧に基づいて初期時の特性が補正された状態で初期時に出力されるべき駆動電圧に設定された補正量を前記信号線ドライバに指示する補償回路と、を有することを特徴とする画像表示装置を提供するものである。
【００１３】
また、この発明は、複数の走査線と、前記複数の走査線に交差する複数の信号線と、前記複数の走査線および前記複数の信号線との交差位置にそれぞれ配置され、各々一対の走査線および信号線間の画素電圧に対応して駆動される複数の表示画素とを備える画像表示装置の駆動方法であって、前記複数の信号線には、輝度低下（輝度半減）時に増加されるべき輝度を提供可能な駆動電圧に基づいて初期時の特性が補正された状態で規定された駆動電圧を本来の初期時の駆動電圧に設定した電圧値が供給されることを特徴とする画像表示装置の駆動方法である。
【発明の効果】
【００１４】
本発明によれば、蛍光面を有する表示基板と、表示基板の蛍光面に向けて電子を放出する電子源基板と、を備える画像表示装置において、表示基板の輝度寿命が向上される。
【発明を実施するための最良の形態】
【００１５】
以下、図面を参照して、この発明の実施の形態について詳細に説明する。
【００１６】
図１は、この発明が適用される平面画像表示装置の回路構成の一例を示す。
【００１７】
図１に示す画像表示装置は、例えば横１２８０×縦７６８の表示画素が形成されたフィールド・エミッション・ディスプレイ（ＦＥＤ）装置である。画像表示装置は、表示パネル１、Ｘドライバ（信号線駆動回路）２、Ｙドライバ（走査線駆動回路）３、および映像信号処理回路４を有する。
【００１８】
表示パネル１は、横（水平すなわちＹ）方向に、互いに概ね平行に設けられた７６８本の走査線Ｙ（ｍ＝７６８，Ｙ１〜Ｙｍ）、走査線Ｙ１〜Ｙｍに直交する縦（垂直すなわちＸ）方向に設けられた１２８０×３本の信号線Ｘ（ｎ＝１２８０，Ｘ１〜Ｘｎ）を有する。
【００１９】
それぞれの走査線Ｙ１〜Ｙｍおよび信号線Ｘ１〜Ｘｎの交差位置には、ｍ×ｎ（＝約２７６万）個の表示画素ＰＸが設けられている。各表示画素ＰＸは、図示しないが水平方向において隣接する３個の表示画素ＰＸ（Ｒ，Ｇ，Ｂ）を含む。
【００２０】
表示パネル１の個々の表示画素ＰＸ（Ｒ，Ｇ，Ｂのそれぞれ）は、いずれも表面伝導型電子放出素子１１および個々の電子放出素子１１から放出される電子ビームにより発光する赤（Ｒ）、緑（Ｇ）、および青（Ｂ）の蛍光体１２（図５に断面の一例を示す）を含む。
【００２１】
各走査線Ｙ１〜Ｙｍは、対応する水平ライン（行）の表示画素ＰＸの電子放出素子１１に接続され、走査電極として用いられる。各信号線Ｘ１〜Ｘｎは、対応する列（垂直方向）の表示画素ＰＸの電子放出素子１１に接続され、信号電極として用いられる。
【００２２】
信号線駆動回路２、走査線駆動回路３、および映像信号処理回路４は、表示用駆動ユニットとして表示パネル１の周囲に配置され、例えば外部に設けられるタイミングコントローラ（図示せず）から制御信号および画像信号が供給されることで、表示パネル１に画像を表示させる。
【００２３】
映像信号処理回路４は、外部の信号源から供給され、Ｒ，Ｇ，Ｂ信号を含む映像信号をデジタル形式で処理する。走査線駆動回路３は、走査信号を用いて、走査線Ｙ１〜Ｙｍを順次駆動し、信号線駆動回路２は、走査線Ｙ１〜Ｙｍの各々が走査線駆動回路３によって駆動される間に映像信号処理回路４からの映像信号に対応して、信号線Ｘ１〜Ｘｎを駆動する。
【００２４】
映像処理回路４は、動作時間（表示時間）の累計に応じて次第に低下する蛍光面の蛍光体に印加すべき駆動電圧Ｖｆを、所定のタイミングで変化（増大）させる、すなわちエミッタ１１に印加される駆動電圧Ｖｆを補正する補正回路４０を含む。
【００２５】
Ｘドライバ（信号線駆動回路）２は、映像処理回路４から供給される１水平ライン分の映像信号を、水平同期信号ＨＤに同期してサンプリングし、保持するラインメモリ２０、およびこのラインメモリ２０から並列的に出力される１水平ライン分の映像信号にそれぞれ対応する、ｎ個の駆動信号を発生する駆動信号発生部２１を含む。
【００２６】
駆動信号発生部２１は、各々対応する画素の映像信号の階調レベルに比例するパルス幅のパルス信号を発生するｎ個のパルス幅変調回路２２、および各々対応パルス幅変調回路２２からのパルス信号のパルス幅に等しい期間だけ駆動用基準電圧端子からの基準電圧Ｖｒｅｆを、信号線Ｘ１〜Ｘｎに、所定タイミングで出力するｎ個の出力バッファ（ＡＭＰ）２３を含む。
【００２７】
パルス幅変調回路２２および出力バッファ２３は、１信号線Ｘに対する駆動信号出力部として機能する。すなわち、パルス幅変調回路２２から発生されるパルス信号として、例えば基準電圧Ｖｒｅｆが出力され、ｎ個のパルス幅変調回路２２に供給される。
【００２８】
Ｙドライバ（走査線駆動回路）３は、シフトレジスタ３１に接続されたｍ個の出力バッファ（ＡＭＰ）３２を介して、それぞれに対応する走査線Ｙ１〜Ｙｍのそれぞれに、走査信号を供給する。すなわち、全ての走査線Ｙ１，Ｙ２，Ｙ３，…，Ｙｍ−１，Ｙｍには、順に、１ラインごとに、走査信号が供給される。
【００２９】
従って、任意の走査線に走査信号が供給されている状態で、Ｘドライバ２の任意のＡＭＰ（バッファ）２３通じて補正回路４０により補正された所定の大きさ（電圧または制御パルス）の画像信号（輝度信号）Ｖｆが供給されることで、それぞれのラインが交差する位置の表示画素ＰＸの電子放出素子（電子源すなわちエミッタ）１１が選択的にオンされ、対応する画素ＰＸから所定の色の光が出力される。
【００３０】
ところで、図２に曲線ａで示すように、表示画素ＰＸから放射される光の強度（画像光の輝度）は、動作時間（累計表示時間）に比例して、次第に低下する。曲線ａで示す輝度の低下は、例えばオーバーロード等により蛍光体の発光能力が低下することに起因する。すなわち、図３に示すように、個々のエミッタ１１に供給される駆動電圧Ｖｆの大きさが一定に維持されているにもかかわらず、任意の画素ＰＸから出力される画像光の輝度が動作時間の累計（累計表示時間）に応じて低下する。なお、輝度が所定のレベルまで低下した状態を輝度寿命とすると、例えば初期時の輝度が、概ね１／２まで低下する時点を（輝度寿命）と考えることが一般的である。
【００３１】
換言すると、蛍光体の発光能力の低下に合わせてエミッタ１１に供給する駆動電圧Ｖｆを増大することにより、輝度寿命を延ばすことができる。例えば、図２にカーブｂで示すように、初期時の輝度が予め規定された輝度に低下した時点ｔｈでエミッタ１１に供給する駆動電圧Ｖｆを、所定レベルに増大することで、輝度寿命を増大できる。
【００３２】
なお、駆動電圧Ｖｆを増大させる時点ｔｈは、例えば初期時の輝度が概ね１／２まで低下する時点（輝度半減時）である。また、輝度の変化すなわち輝度半減を検出する方法としては、例えば駆動電圧Ｖｆに対して一義的に決まる駆動電流Ｉｆの変化を検出することにより可能である、もちろん、例えば図示しないカウンタ等により動作時間の累計を計数（積算）してもよい。
【００３３】
ところで、図２および図３に示した時間ｔｈにおいて、エミッタ（電子源）１１に供給される駆動電圧Ｖｆの大きさを増大させると、表示領域（画面）の全域の輝度にムラ（輝度のばらつきが生じる虞がある。このため、図２に示した時間ｔｈにおいて、曲線ｂの輝度が得られる輝度曲線を動作時間の累計がほとんどない初期（工場出荷）時に相当する輝度（曲線ｃ）に置き換えて、その輝度を提供可能な駆動電圧Ｖｔｈを規定し、初期時には、その電圧を図２に示した曲線ａの輝度を提供可能な駆動電圧Ｖｏとしてもよい。
【００３４】
なお、図２において、時間ｔｈで曲線ａで示される輝度を曲線ｂで示される輝度まで増大させるために、図３において、駆動電圧Ｖｆは、ＶｏからＶｔｈに増大されることになる。ここで、時間ｔｈにおける輝度の増分（図２の曲線ｂ−曲線ａ）を、例えば２５％とすると、寿命（図２のＡとＢの比率）は、概ね１．５倍であることが確認されている。また、輝度の増分（図２の曲線ｂ−曲線ａ）を、例えば５０％とすると、寿命は、概ね１．８倍であることが確認されている。
【００３５】
一方、寿命を概ね２倍にするのであれば、輝度の増分（図２の曲線ｂ−曲線ａ）を、概ね１００％にすればよいが、初期時駆動電圧Ｖｏの大きさをいたずらに増大することは、蛍光体に対しては負荷の増加であるから、輝度の増分は、初期時駆動電圧と輝度寿命とを考慮して決定される。
【００３６】
このように、動作時間の累計が所定時間に達する時点ｔｈと関連づけて所定の発光特性を提供可能に駆動電圧（輝度特性）の大きさを設定し、動作時間の累計が輝度が所定のレベルまで低下する時期ｔｈに達した時点で、駆動電圧Ｖｆを増大させることで、動作時間の累計により輝度が低下した場合であっても、その輝度を、所定レベルまで高めることができる。このことは、オーバーロード等により蛍光体の発光能力が低下して輝度が低下することを実質的に防止できる。従って、輝度寿命を増大することができる。なお、この場合、動作時間の累計が所定時間に達した時点を想定して設定されたカーブＢを用いてエミッタ１１に所定の駆動電圧Ｖｆが供給されることから、駆動電圧Ｖｆを所定の時期ｔｈで増大させた場合であっても、輝度ムラ（輝度のばらつき）が生じることはない。
【００３７】
図４および図５に、図１に示した画像表示装置に組み込まれる表示パネルの構造の一例を示す。
【００３８】
表示パネル１は、電子放出素子（電子源すなわちエミッタ）１１を有する電子源側基板（第１基板、以下リアパネルと呼称する）１００と、リアパネル１００に所定の間隔で対向され、エミッタ１１から出力された電子線が照射されることで蛍光を出力する蛍光面（Ｒ，Ｇ，Ｂ蛍光体１２）を含む蛍光面側基板（第２基板、以下フェースプレートと呼称する）２００とを有する。
【００３９】
リアパネル１００およびフェースプレート２００は、図５に示すように、それぞれ、所定面積が与えられた矩形状の背面（電子源側）ガラス基材１０１と前面（蛍光面側）２０１とを含み、それぞれの基材１０１および２０１の主要な部分すなわち表示領域相当部には、電子源（電子放出素子）と蛍光体（発光素子）とが所定数設けられている。
【００４０】
両基板１００，２００は、１〜２ｍｍのギャップ（間隔）で対向され、両基板１００，２００の周縁部に設けられる側壁３０１により、相互に接合されている。すなわち、表示パネル１は、２枚の基板１００，２００と側壁３０１とにより密閉構造の外囲器４０１となる。なお、外囲器４０１の内部は、例えば１０−４Ｐａ程度の真空度に維持される。
【００４１】
リアパネル１００およびフェースプレート２００のガラス基材相互間には、外囲器４０１として組み立てられた状態で、それぞれに作用する大気圧に抗するため、板状あるいは柱状に形成された多数のスペーサ５０１が配置されている。
【００４２】
フェースプレート２００に用いられるガラス基材２０１の一方の面、すなわち外囲器４０１として組み立てた際に内側に面する面には、上述したＲ，Ｇ，Ｂのそれぞれの蛍光体１２が所定の順に配列された蛍光面２１１が設けられている。なお、蛍光面２１１には、後段に詳述するが、アノード電極として機能する金属薄膜（メタルバック層）が設けられる。なお、電子源とアノード電極との間に、例えば１０〜１５ｋＶの掃引電圧が印加される。
【００４３】
蛍光面２１１には、図５に示すように、リアパネル１００の個々のエミッタから放射される電子が衝突されることでＲ，Ｇ，Ｂの光を放出する３種類の蛍光体１２−１（Ｒ），１２−２（Ｇ），１２−３（Ｂ）と、それぞれの蛍光体を区画するマトリックス状に配列された光遮光層（ブラックマスク）２２１が設けられている。
【００４４】
各蛍光体１２−１，１２−２，１２−３は、フェースプレート２００（ガラス基材２０１）の長手方向を第１方向（Ｘ方向）、Ｘ方向（長手方向）と直交する幅方向を第２方向（Ｙ方向）とした場合、例えばＹ方向に延びたストライプ状に形成されている。なお、各蛍光体１２−１〜−３は、前に説明したが、３つを１単位として配列される。
【００４５】
光遮光層２２１は、例えばカーボンとバインダ材との混合物であって、その抵抗値が、例えば１０３〜１０８［Ω］に設定されている。なお、バインダ材の含有量は、最大で８０％に規定されている。
【００４６】
光遮光層（ブラックマスク）２２１は、図４および図５から容易に理解できるとおり、Ｘ方向（列方向）とＹ方向（行方向）のそれぞれに、１２８０×３列および７６８行、配列されているとする。例えば、１画素の大きさを０．６ｍｍ四方とすると、個々の蛍光体層が帯状に伸びるＹ方向に関しては、その幅（Ｘ方向）に対応する領域の太さは、横線部の太さに比較して、狭い。一例を示すと、縦線部の幅は、Ｒ，Ｇ，Ｂからなる１画素間すなわちＢ（１２−３）とＲ（１２−１）との間で２０〜１００μｍ、より好ましくは４０〜５０μｍで、残りの部分すなわちＲ（１２−１）とＧ（１２−２）もしくはＧ（１２−２）とＢ（１２−３）との間２０〜１００μｍ、より好ましくは２０〜３０μｍである。これに対し、横線部の幅は、１５０〜４５０μｍ、より好ましくは３００μｍである。
【００４７】
蛍光面２１１には、光遮光層２２１により区画されたそれぞれの蛍光体領域１２−１，１２−２，１２−３を覆う全面に設けられ、表面に凹凸のある蛍光体領域に、以下に説明するように、アノード電極として機能するとともに各蛍光体領域で放出された光をガラス基板２０１側に反射させるために利用される金属薄層すなわちメタルバック層２３１が、所定の厚さに形成される。なお、メタルバック層という用語を用いているが、この層は、アノードとして機能することが可能であれば、金属（メタル）に限定されるものではなく、種々の材料を使うことが可能である。また、メタルバック層２３１が形成されるに先だって、蛍光体領域の全面に、例えば樹脂等の蛍光体粒子を相互に固定することのできる平滑化層が設けられてもよい。
【００４８】
以上説明したように、この発明によれば、蛍光面を有する表示基板と、表示基板の蛍光面に向けて電子を放出する電子源基板と、を備える画像表示装置において、動作時間の累計が所定時間に達する時点と関連づけて予め設定される輝度特性を提供可能に、駆動電圧が設定され、動作時間の累計が所定時間に到達した時点で、駆動電圧が増加される。これにより、表示基板の蛍光面から出力される光の輝度が、長期に亘って一定の輝度以上に維持される。従って、輝度寿命が増大され、画像表示装置としての寿命も長期化される。
【００４９】
すなわち、動作時間の累計にかかわりなく、表示画像の輝度が輝度寿命まで低下することなく、長期に亘って安定な画像を表示可能な画像表示装置が得られる。
【００５０】
上述の各実施形態では、駆動信号が電圧振幅駆動方式であってもパルス幅変調駆動方式であってもかまわない。また、両駆動方式を併用する場合にも適用可能である。
【００５１】
なお、この発明は、前記各実施の形態に限定されるものではなく、その実施の段階ではその要旨を逸脱しない範囲で種々な変形もしくは変更が可能である。また、各実施の形態は、可能な限り適宜組み合わせて実施されてもよく、その場合、組み合わせによる効果が得られる。
【図面の簡単な説明】
【００５２】
【図１】この発明が適用される画像表示装置の回路構成の一例を示す概略図。
【図２】図１に示した画像表示装置の動作時間と輝度の関係を説明する概略図。
【図３】図１に示した画像表示装置の動作時間と駆動電圧の関係の関係を説明する概略図。
【図４】図１に示した画像表示装置の表示パネルの構造の一例を示す概略図。
【図５】図４に示した画像表示装置の表示パネルの構造の一例（断面）を示す概略図。
【符号の説明】
【００５３】
１…表示パネル、１１…表面伝導型電子放出素子、１２…蛍光体、１２−１…蛍光体（Ｒ）、１２−２…蛍光体（Ｇ）、１２−３…蛍光体（Ｂ）、２…信号線駆動回路、３…走査線駆動回路、４…映像信号処理回路、４０…補正回路、１００…リアパネル（電子源側基板，第１基板）、１０１…第１基板の基材、２００…フェースプレート（蛍光面側基板，第２基板）、２０１…第２基板の基材、２１１…蛍光面、２２１…光遮光層（ブラックマスク）、２３１…メタルバック層（金属薄膜，掃引電圧印加部）、２４１…ゲッタ（不純物吸着）層、３０１…側壁、４０１…密閉構造（外囲器）、５０１…スペーサ。
【図１】
2006184461.tif 000003
【図２】
2006184461.tif 000004
【図３】
2006184461.tif 000005
【図４】
2006184461.tif 000006
【図５】
2006184461.tif 000007